(57)【要約】【課題】  腰部および下肢部を覆うスパッツ１において、腰部および下肢部の筋力を向上させることによって装着者の運動や立位姿勢を補助するスパッツを提供すること。【解決手段】  左右方向への伸縮性が上下方向に比べて高い横伸縮部１１を備え、前記横伸縮部１１は、少なくとも大腿直筋、外側広筋および内側広筋の筋腹部上域を覆う第１横伸縮部１１ａと、少なくとも中殿筋、大腿二頭筋および半腱様筋の筋腹部上域を覆う第２横伸縮部１１ｂとを有すること。【選択図】  図１
2006291411.tif 000002
【特許請求の範囲】
【請求項１】
腰部および下肢部を覆うスパッツにおいて、
左右方向への伸縮性が上下方向に比べて高い横伸縮部を備え、
前記横伸縮部は、少なくとも大腿直筋、外側広筋および内側広筋の筋腹部上域を覆う第１横伸縮部と、少なくとも中殿筋、大腿二頭筋および半腱様筋の筋腹部上域を覆う第２横伸縮部とを有する、スパッツ。
【請求項２】
請求項１に記載のスパッツにおいて、
前記横伸縮部は、少なくとも腹直筋下部の筋腹部上域を覆う第３横伸縮部を備えた、スパッツ。
【請求項３】
請求項１または２に記載のスパッツにおいて、
上下方向への伸縮性が左右方向に比べて高い縦伸縮部を備え、
前記縦伸縮部は、大腿筋膜張筋の筋腹部上域を覆う第１縦伸縮部と、内転筋の筋腹部上域を覆う第２縦伸縮部とを有する、スパッツ。
【請求項４】
請求項１から３のいずれかに記載のスパッツにおいて、
筋肉を押圧する指圧体を備えた、スパッツ。
【請求項５】
請求項４に記載のスパッツにおいて、
前記指圧体は、大殿筋と、右下肢部側の大腿直筋と、左下肢部の大腿二頭筋および半腱様筋と、両下肢部の大腿筋膜張筋および内転筋に対応する部位に設けられている、スパッツ。
【発明の詳細な説明】
【技術分野】
【０００１】
本発明は、装着者の運動や立位姿勢を補助するためのスパッツに関するものである。
【背景技術】
【０００２】
近年、健康志向の高まりとともに、ウォーキングやジョギング、その他様々なスポーツを行う中高年者が増加しているが、筋力が低下傾向にある中高年者は、比較的負荷の小さい運動であっても、関節や筋肉、腱等の部位に疾患が発生しやすい。特に、腰部や下肢部は、立位姿勢を保持するだけでも負荷がかかる部分であるから、これら腰部や下肢部を中心に筋力を向上させておく必要がある。
【特許文献１】特開２００２−２１２８１４号公報（第１−７頁、第１−１０図）
【発明の開示】
【発明が解決しようとする課題】
【０００３】
しかしながら、腰部や下肢部の筋力を強化すべく、単調且つ負荷のかかる筋力強化トレーニングを継続的に行うのは、精神的にも肉体的にも負担が大きいし、過度の筋力強化トレーニングを行えば、かえって腰痛や膝関節痛等の疾患を発生させるおそれもある。従って、筋力強化トレーニングの代わりに容易に腰部や下肢部全体の筋力を向上させて、運動や立位姿勢を補助しえるものが求められていた。
本発明は係る点に鑑みてなされたもので、
『腰部および下肢部を覆うスパッツ』において、装着者の運動や立位姿勢を補助するためのスパッツを提供することをその課題とする。
【課題を解決するための手段】
【０００４】
上記課題を解決するための本発明の技術的手段は、
『左右方向への伸縮性が上下方向に比べて高い横伸縮部を備え、
前記横伸縮部は、少なくとも大腿直筋、外側広筋および内側広筋の筋腹部上域を覆う第１横伸縮部と、少なくとも中殿筋、大腿二頭筋および半腱様筋の筋腹部上域を覆う第２横伸縮部とを有する』ことである。
上記技術手段によれば、腰部および下肢部を覆うスパッツは、その左右方向への伸縮性が上下方向に比べて高い横伸縮部を備えており、該横伸縮部の伸張に対する復元力が、下肢部の屈曲・伸展動作や立位姿勢を保持する際に働く大腿直筋、外側広筋、内側広筋、中殿筋、大腿二頭筋および半腱様筋の筋繊維と交差する方向（身体の略左右方向）、即ち、筋腹部の膨張を抑制する方向に働き、それらの筋肉の収縮力を増強すると考えられる。従って、後述する比較テストから明らかなように、腰部および下肢部全体の筋力が向上する。
【０００５】
請求項２に係る発明の技術的手段は、
前記請求項１において、
『前記横伸縮部は、少なくとも腹直筋下部の筋腹部上域を覆う第３横伸縮部を備えた』ことである。
このものでは、横伸縮部が腹直筋下部の筋腹部上域を覆っており、該横伸縮部の伸張に対する復元力が、下肢部の屈曲・伸展動作や立位姿勢を保持する際に働く腹直筋の筋繊維と交差する方向（身体の略左右方向）、即ち、筋腹部の膨張を抑制する方向に働き、それらの筋肉の収縮力を増強すると考えられる。従って、後述する比較テストから明らかなように、腰部および下肢部全体の筋力が一層向上する。
【０００６】
請求項３に係る発明の技術的手段は、
前記請求項１または２において、
『上下方向への伸縮性が左右方向に比べて高い縦伸縮部を備え、
前記縦伸縮部は、大腿筋膜張筋の筋腹部上域を覆う第１縦伸縮部と、内転筋の筋腹部上域を覆う第２縦伸縮部とを有する』ことである。
このものでは、腰部および下肢部を覆うスパッツには、その上下方向への伸縮性が左右方向に比べて高い縦伸縮部が設けられており、該縦伸縮部の伸張に対する復元力が、下肢部の屈曲・伸展動作や立位姿勢を保持する際に働く大腿筋膜張筋および内転筋の筋繊維と交差する方向（身体の略上下方向）、即ち、筋腹部の膨張を抑制する方向に働き、それらの筋肉の収縮力を増強すると考えられる。従って、後述する比較テストから明らかなように、腰部および下肢部全体の筋力が一層向上する。
【０００７】
請求項４に係る発明の技術的手段は、
前記請求項１から３のいずれかにおいて、
『筋肉を押圧する指圧体を備えた』ことである。
このものでは、身体に装着した際に、指圧体がスパッツでで覆われる筋肉を押圧し、その指圧効果によって筋緊張を促されるから、腰部および下肢部全体の筋力が一層向上する。
【０００８】
請求項５に係る発明の技術的手段は、
前記請求項４において、
『前記指圧体は、大殿筋と、右下肢部側の大腿直筋と、左下肢部の大腿二頭筋および半腱様筋と、両下肢部の大腿筋膜張筋および内転筋に対応する部位に設けられている』ことである。
このものでは、身体に装着した際に、下肢部の屈曲・伸展動作や立位姿勢を保持する際に中心となって働く大殿筋と、右下肢部側の大腿直筋と、左下肢部の大腿二頭筋および半腱様筋と、両下肢部の大腿筋膜張筋および内転筋とが、指圧体の指圧効果によって筋緊張を促されるから、腰部および下肢部全体の筋力が一層向上する。
【発明の効果】
【０００９】
以上のように、請求項１の発明によれば、身体の略左右方向に膨張する大腿直筋、外側広筋、内側広筋、中殿筋、大腿二頭筋および半腱様筋をスパッツの左右方向への伸縮性が高い横伸縮部で覆うことによって、それら筋肉の筋力が増強され、腰部および下肢部全体の筋力が向上するから、装着者の運動や立位姿勢の補助を図ることができる。
請求項２に係る発明では、上記大腿直筋、外側広筋、内側広筋、中殿筋、大腿二頭筋および半腱様筋に加えて、身体の略左右方向に膨張する腹直筋下部についても上記横伸縮部で覆うことによって、腹直筋下部の筋力が増強され、腰部および下肢部全体の筋力が向上するから、装着者の運動や立位姿勢の補助を一層効果的に図ることができる。
請求項３に係る発明では、身体の略上下方向に膨張する大腿筋膜張筋および内転筋をスパッツの上下方向への伸縮性が高い縦伸縮部で覆うことによって、それら筋肉の筋力が増強され、腰部および下肢部全体の筋力が向上するから、装着者の運動や立位姿勢の補助を一層効果的に図ることができる。
【００１０】
請求項４に係る発明では、スパッツで覆われた部分の筋肉を指圧体で押圧することによって、その押圧された筋肉の緊張が促され、腰部および下肢部全体の筋力が向上するから、装着者の運動や立位姿勢の補助を一層効果的に図ることができる。
請求項５に係る発明では、下肢部の屈曲・伸展動作や立位姿勢を保持する際に中心となって働く大殿筋、右下肢部側の大腿直筋、左下肢部の大腿二頭筋および半腱様筋、両下肢部の大腿筋膜張筋、内転筋を指圧体で押圧することによって、それら筋肉の緊張が促され、腰部および下肢部全体の筋力が向上するから、装着者の運動や立位姿勢の補助を一層効果的に図ることができる。
【発明を実施するための最良の形態】
【００１１】
次に、上記した本発明を実施するための最良の形態について、添付図面を参照しながら詳述する。
図１（ａ）および（ｂ）に示すように、本発明の実施の形態に係るスパッツ１は、腰部２０ａおよび大腿部２０ｂ，２０ｂを若干締め付けた状態で覆うパンツであり、スパッツ１の左右方向への伸縮性が上下方向に比べて高い（例えば、左右方向の伸縮率が１００％、上下方向の伸縮率が１０％）横伸縮部１１と、スパッツ１の上下方向への伸縮性が左右方向に比べて高い（例えば、上下方向の伸縮率が１００％、左右方向の伸縮率が１０％）縦伸縮部１２と、身体に装着した際に、スパッツ１で覆われる領域下に位置する筋肉の筋腹部を部分的に押圧する指圧体１３（１３Ａ〜１３Ｆ）とを備えている。
【００１２】
横伸縮部１１は、ウエスト部１５の正面側中央よりやや外側から裾部１６，１６まで延びる帯状の第１横伸縮部１１ａ，１１ａと、ウエスト部１５の背面側中央よりやや外側から裾部１６，１６まで延びる帯状の第２横伸縮部１１ｂ，１１ｂと、第１横伸縮部１１ａ，１１ａの上端相互間の所定範囲（ウエスト部１５から約１０ｃｍ下方までの領域）を覆う第３横伸縮部１１ｃとを備えている。即ち、図２（ａ）および（ｂ）に示すように、上記第１横伸縮部１１ａ，１１ａが、大腿部２０ｂ，２０ｂの正面側に位置する大腿直筋２４，２４、外側広筋２５，２５および内側広筋２６，２６の筋腹部上域を覆い、第２横伸縮部１１ｂ，１１ｂが、腰部２０ａの背面上方の中央やや外側に位置する中殿筋２３，２３、大腿部２０ｂ，２０ｂの背面側に位置する大腿二頭筋２７，２７および半腱様筋２８，２８の筋腹部上域を覆い、第３横伸縮部１１ｃが、腰部２０ａの正面上方の中央に位置する腹直筋２１下部の筋腹部上域を覆うように構成されている。
【００１３】
尚、上記横伸縮部１１で覆われている腹直筋２１、中殿筋２３，２３、大腿直筋２４，２４、外側広筋２５，２５、内側広筋２６，２６、大腿二頭筋２７，２７および半腱様筋２８，２８は、下肢部の屈曲・伸展動作や立位姿勢を保持する際に力を発揮するものであるが、それら腹直筋２１、中殿筋２３，２３、大腿直筋２４，２４、外側広筋２５，２５、内側広筋２６，２６、大腿二頭筋２７，２７および半腱様筋２８，２８は、それら筋肉の筋繊維と交差する方向、即ち、筋腹部の膨張を抑制する方向に外力を与えることによって収縮力が増強することが、本願発明の発明者によって確認された。具体的には、上記筋肉の筋腹部は、該筋肉が収縮力を発揮させる際には、その筋肉の筋繊維と交差する方向（身体の略左右方向）に膨張するが、筋腹部の膨張する方向と反対方向の外力を与えてやることによって、その膨張する力が収縮力に転換され、筋肉の収縮力を増強させる。
【００１４】
また、図１（ａ）および（ｂ）に示すように、右大腿部側の第１横伸縮部１１ａの裏面には、後述する指圧体１３Ａが設けられており、左大腿部側の第２横伸縮部１１ｂの裏面には、後述する指圧体１３Ｂ，１３Ｃが設けられ、右大腿部側の第２横伸縮部１１ｂの裏面には、後述する指圧体１３Ｃが設けられている。
上記第１横伸縮部１１ａ，１１ａ、第２横伸縮部１１ｂ，１１ｂおよび第３横伸縮部１１ｃは、横方向への伸縮性が高いリブ編み生地を縦向きに用いて、スパッツ１の左右方向への伸縮性が上下方向に比べて高くなるように形成されている。
尚、第１横伸縮部１１ａ，１１ａ、第２横伸縮部１１ｂ，１１ｂおよび第３横伸縮部１１ｃは、横方向への伸縮性が高いリブ編み生地を縦向きに用いて、スパッツ１の左右方向への伸縮性が高くなるように形成されたものであるが、縦方向への伸縮性が高いパール編み生地やその他一方向への伸縮性の高い素材を用いて、その伸縮性の高い方向がスパッツ１の左右方向になるように形成したものであっても良い。
【００１５】
縦伸縮部１２は、上記横伸縮部１１で覆われる領域以外の部分を覆うように形成されており、ウエスト部１５の側面から裾部１６，１６の外側面までの範囲を覆う第１縦伸縮部１２ａ，１２ａと、上記第２横伸縮部１１ｂの下端およびウエスト部１５の背面側中央から裾部１６，１６の内側面までの範囲を覆う第２縦伸縮部１２ｂとを備えている。即ち、図２（ａ）および（ｂ）に示すように、上記第１縦伸縮部１２ａ，１２ａが、大腿部２０ｂ，２０ｂの外側面に位置する大腿筋膜張筋２２，２２の筋腹部上域を覆い、第２縦伸縮部１２ｂが、大腿部２０ｂ，２０ｂの内側面に位置する内転筋２９，２９の筋腹部上域を覆うように構成されている。
【００１６】
尚、上記縦伸縮部１２で覆われている大腿筋膜張筋２２，２２および内転筋２９，２９は、下肢部の屈曲・伸展動作や立位姿勢を保持する際に力を発揮するものであるが、それら大腿筋膜張筋２２，２２および内転筋２９，２９は、それら筋肉の筋繊維と交差する方向、即ち、筋腹部の膨張を抑制する方向に外力を与えることによって収縮力が増強することが、本願発明の発明者によって確認された。具体的には、上記筋肉の筋腹部は、該筋肉が収縮力を発揮させる際には、その筋肉の筋繊維と交差する方向（身体の略上下方向）に膨張するが、筋腹部の膨張する方向と反対方向の外力を与えてやることによって、その膨張する力が収縮力に転換され、筋肉の収縮力を増強させる。
【００１７】
また、図１（ａ）および（ｂ）に示すように、右大腿部側の第１縦伸縮部１２ａの裏面には、後述する指圧体１３Ｄが設けられており、左大腿部側の第２縦伸縮部１２ａの裏面には、後述する指圧体１３Ｅが設けられ、第２縦伸縮部１２ｂの裏面には、後述する指圧体１３Ｆ，１３Ｇが設けられている。
上記第１縦伸縮部１２ａ，１２ａおよび第２縦伸縮部１２ｂは、横方向への伸縮性が高いリブ編み生地を横向きに用いて、スパッツ１の上下方向への伸縮性が左右方向に比べて高くなるように形成されている。
【００１８】
尚、第１縦伸縮部１２ａ，１２ａおよび第２縦伸縮部１２ｂは、横方向への伸縮性が高いリブ編み生地を横向きに用いて、スパッツ１の上下方向への伸縮性が高くなるように形成されたものであるが、縦方向への伸縮性が高いパール編み生地やその他一方向への伸縮性の高い素材を用いて、その伸縮性の高い方向がスパッツ１の上下方向になるように形成したものであっても良い。
【００１９】
指圧体１３（１３Ａ〜１３Ｆ）は、図３（ａ）および（ｂ）に示すように、シリコン系樹脂で上記横伸縮部１１および縦伸縮部１２の裏面に形成された高さ約４ｍｍの隆起体であり、約５ｍｍ間隔の平行な４本のリブ１３０，１３０，１３０，１３０およびこれら４本のリブ１３０，１３０，１３０，１３０と交差する約５ｍｍ間隔の平行な３本のリブ１３０，１３０，１３０によって網目状に形成されている。上記リブ１３０の幅は約３ｍｍ、長さが約５０ｍｍに設定されている。
【００２０】
図４（ａ）および（ｂ）に示すように、指圧体１３Ａは、右大腿部側の大腿直筋２４の筋腹部上であって、上前腸骨棘３１と膝関節３２とを結ぶ線の約１／２の位置に設けられている。指圧体１３Ｂは、左大腿部側の大腿二頭筋２７および半腱様筋２８の筋腹部上であって、坐骨結節３３と膝関節３２とを結ぶ線の約１／２の位置に設けられている。指圧体１３Ｃ，１３Ｃは、大殿筋３０，３０の筋腹部上であって、上後腸骨棘３４と大転子３５とを結ぶ線の約１／２の位置に設けられている。指圧体１３Ｄは、右大腿部側の大腿筋膜張筋２２の筋腹部上であって、大転子３５と膝関節３２とを結ぶ線の約１／２の位置に設けられている。指圧体１３Ｅは、左大腿部側の大腿筋膜張筋２２の筋腹部上であって、大転子３５と膝関節３２とを結ぶ線の大転子３５側約１／３の位置に設けられている。指圧体１３Ｆは、右大腿部側の内転筋２９の筋腹部上であって、恥骨下縁３６と膝関節３２とを結ぶ線の恥骨下縁３６側約１／３の位置に設けられている。指圧体１３Ｇは、左大腿部側の内転筋２９の筋腹部上であって、恥骨下縁３６と膝関節３２とを結ぶ線の約１／２の位置に設けられている。
【００２１】
尚、上記指圧体１３Ａ〜１３Ｇが配設されている大腿筋膜張筋２２、大殿筋３０，３０、大腿直筋２４、大腿二頭筋２７、半腱様筋２８および内転筋２９，２９は、下肢部の屈曲・伸展動作や立位姿勢を保持する際に中心となって力を発揮するものであるが、それら各筋肉の緊張をコントロールすることによって、歩行時や立位姿勢時の身体のバランスが保持されている。従って、それら大腿筋膜張筋２２、大殿筋３０，３０、大腿直筋２４、大腿二頭筋２７、半腱様筋２８および内転筋２９，２９の筋緊張を促すことによって、腰部および下肢部全体の運動能力や立位姿勢を保持する能力を高めることができる。
【００２２】
［スパッツ１の使用の実際］
このものでは、上記スパッツ１を装着すると、横伸縮部１１はスパッツ１の左右方向へ伸び、縦伸縮部１２はスパッツ１の上下方向へ伸びる。即ち、横伸縮部１１に覆われている腹直筋２１、中殿筋２３，２３、大腿直筋２４，２４、外側広筋２５，２５、内側広筋２６，２６、大腿二頭筋２７，２７および半腱様筋２８，２８には、その筋腹部の膨張を抑制する方向へ横伸縮部１１の伸張に対する復元力が加えられ、縦伸縮部１２に覆われている大腿筋膜張筋２２，２２および内転筋２９，２９には、その筋腹部の膨張を抑制する方向へ縦伸縮部１２の伸張に対する復元力が加えられる。従って、上記各筋肉２１〜２９の収縮力が増強される。
【００２３】
また、大腿筋膜張筋２２，２２、大殿筋３０，３０、大腿直筋２４、大腿二頭筋２７、半腱様筋２８および内転筋２９，２９は、指圧体１３Ａ〜１３Ｇによって押圧され、その指圧効果によって筋緊張が促されるから、それら大腿筋膜張筋２２，２２、大殿筋３０，３０、大腿直筋２４、大腿二頭筋２７、半腱様筋２８および内転筋２９，２９の収縮力が一層増強される。
この結果、腰部および下肢部全体の筋力が向上し、装着者の運動や立位姿勢を補助することができる。
【００２４】
［比較テスト］
次に、上記スパッツ１を装着して行った足関節背屈力の比較テストについて説明する。
図５に示す表は、本発明の実施の形態に係るスパッツ１（以下、「本願スパッツ」という）を装着した場合、本願スパッツと同じ寸法の従来のスパッツ（縦横に伸縮する生地で全体を構成したスパッツ）を装着した場合、本願スパッツの第３横伸縮部１１ｃが上記第２縦伸縮部１２ｂと同一の生地であって上記指圧体１３Ａ〜１３Ｆを設けていない構成のスパッツ（以下、「試験体１」という）を装着した場合、本願スパッツの指圧体１３Ａ〜１３Ｆを設けていない構成のスパッツ（以下、「試験体２」という）を装着した場合のそれぞれについて、片足をその前方に持ち上げる際の足先部にかかる負荷を測定したものである。具体的には、図６に示すように、固定された体重計Ｐを足先２００で押し上げた際の体重計Ｐの数値を計測した。
【００２５】
この表から、被験者ＡおよびＣを除く４名の被験者において、従来のスパッツを装着した場合よりも、試験体１を装着した場合の方が高い数値が得られたことが分かる。即ち、中殿筋２３，２３、大腿直筋２４，２４、外側広筋２５，２５、内側広筋２６，２６、大腿二頭筋２７，２７および半腱様筋２８，２８の筋腹部上域をそれら筋肉の筋繊維に交差する方向に高い伸縮性を発揮する上記横伸縮部１１で覆い、大腿筋膜張筋２２，２２および内転筋２９，２９の筋腹部上域をそれら筋肉の筋繊維に交差する方向に高い伸縮性を発揮する上記縦伸縮部１２で覆うことによって、下肢部の背屈力の向上が認められたということがいえる。
【００２６】
また、被験者ＤおよびＥを除く４名の被験者において、試験体１を装着した場合よりも、試験体２を装着した場合の方が高い数値が得られたことから、腹直筋２１の筋腹部上域をその筋繊維に交差する方向に高い伸縮性を発揮する上記横伸縮部１１で覆うことによって、下肢部の背屈力が一層増強されたことが分かる。
さらに、被験者ＢおよびＥを除く４名の被験者において、試験体２を装着した場合よりも、本願スパッツを装着した場合の方が高い数値が得られたことから、指圧体１３Ａ〜１３Ｇがその指圧効果によって大腿筋膜張筋２２，２２、大殿筋３０，３０、大腿直筋２４、大腿二頭筋２７、半腱様筋２８および内転筋２９，２９の筋緊張を促し、下肢部の背屈力を一層増強したということがいえる。
【図面の簡単な説明】
【００２７】
【図１】本発明の実施の形態に係るスパッツ１の説明図（図１（ａ）が身体の正面側、図１（ｂ）が身体の背面側）
【図２】本発明の実施の形態に係るスパッツ１の説明図（図２（ａ）が身体の正面側、図２（ｂ）が身体の背面側）
【図３】本発明の実施の形態に係るスパッツ１の裏面に貼着される指圧体１３の説明図
【図４】本発明の実施の形態に係るスパッツ１の裏面に貼着される指圧体１３の配設位置の説明図（図４（ａ）が身体の正面側、図４（ｂ）が身体の背面側）
【図５】本発明の実施の形態に係るスパッツ１を装着した場合と、他の構成のスパッツを装着した場合との下肢部背屈力の比較テスト結果を示す表
【図６】図５に示す比較テストの実施方法の説明図
【符号の説明】
【００２８】
１・・・スパッツ
１１・・・横伸縮部
１１ａ・・・第１横伸縮部
１１ｂ・・・第２横伸縮部
１１ｃ・・・第３横伸縮部
１２・・・縦伸縮部
１２ａ・・・第１縦伸縮部
１２ｂ・・・第２縦伸縮部
１３・・・指圧体
【図１】
2006291411.tif 000003
【図２】
2006291411.tif 000004
【図３】
2006291411.tif 000005
【図４】
2006291411.tif 000006
【図５】
2006291411.tif 000007
【図６】
2006291411.tif 000008